(57)【要約】【課題】窓の外側下部に取り付けることが出来るウィンドウ・デッキであって、取り付けが非常に簡単で且つ取り付けた状態が安定している上に、窓の開閉にも支障のないウィンドウ・デッキを提供する。【解決手段】少なくとも窓側以外の三方に囲いを設け、底部を有する上方開放の長方角形の本体と、アルミサッシ枠の網戸用レールに引っ掛ける引っ掛け部と、本体を家屋壁面に対して安定的に支持するための支持部と、本体底部と支持部との間の角度を調節する事により本体の家屋壁面に対する取り付け角度を調整する角度調整部と、から成るウィンドウ・デッキを提供する。【選択図】　　図１
2004073292.tif 000002
【特許請求の範囲】
【請求項１】
少なくとも窓側以外の三方に囲いを設け、底部を有する上方開放の長方角形の本体と、
アルミサッシ枠の網戸用レールに引っ掛ける引っ掛け部と、
本体を家屋壁面に対して安定的に支持するための支持部と、
本体底部と支持部との間の角度を調節する事により本体の家屋壁面に対する取り付け角度を調整する角度調整部と、
から成るウィンドウ・デッキ。
【請求項２】
少なくとも本体は木製である請求項１記載のウィンドウ・デッキ。
【請求項３】
少なくとも本体の両端に引っ掛け部、支持部、角度調整部を備えた請求項１又は２記載のウィンドウ・デッキ。
【請求項４】
角度調整部の一端を本体に連結し他端を支持部に連結して角度調整部の伸縮によって本体底部と支持部との間の角度を調節する事により本体の家屋壁面に対する取り付け角度を調整する請求項１、２又は３記載のウィンドウ・デッキ。
【請求項５】
角度調整部は両端にフックを備えたターンバックルである請求項１、２、３又は４記載のウィンドウ・デッキ。
【発明の詳細な説明】
【０００１】
【発明の属する技術分野】
本発明は、窓の外側下部に取り付けるウィンドウ・デッキに関するものである。
【０００２】
【従来の技術】
従来のものは、（Ａ）実公昭５８−１８６９６の如くベランダ等の手摺りに引っ掛けられるフック部及びプランターを載せるプランター受け部を備え、伸縮自在な支持杆によるプランターの高さの調節と水平調節バーによるプランターの水平維持とが可能であるような構造のプランターハンガー、並びに（Ｂ）実開昭５８−１７７４９３の如く網かごを窓下前面に取り付けて成る外壁の窓下部の構造に関するものなどである。
【０００３】
【発明が解決しようとする課題】
本発明は、（Ａ）に比してベランダ等の手摺りがなくても設置可能で構造簡単、然も設置時の調節も簡単であって、又（Ｂ）の如く支持具を外壁にビス止めして外壁を傷つけるようなことのない、ウィンドウ・デッキを提供することを目的とする。
【０００４】
【課題を解決するための手段】
上記目的を達成するために、本発明に係るウィンドウ・デッキは、少なくとも窓側以外の三方に囲いを設け、底部を有する上方開放の長方角形の本体と、アルミサッシ枠の網戸用レールに引っ掛ける引っ掛け部と、本体を家屋壁面に対して安定的に支持するための支持部と、本体底部と支持部との間の角度を調節する事により本体の家屋壁面に対する取り付け角度を調整する角度調整部と、から成るウィンドウ・デッキである。
【０００５】
ウィンドウ・デッキの本体は、窓側にも囲いを設けて四方を囲ってもよいが、通常は窓側以外の三方を囲えば充分であってこの方が軽くて安上がりであり、窓の内側からの景色もよい。このウィンドウ・デッキの本体のみ又は本体と支持部つまりウィンドウ・デッキの殆どの部分を木製とすることにより、全体として木の温もりが感じられることとなり、又細小の木材を組み合わせて構成する事が出来るので間伐材やこまぎれの材料をも活用できる利点がある。
【０００６】
又引っ掛け部、支持部、角度調整部などは全て、少なくとも本体の両端に備えられることが、強度上及び安全上の観点から望ましい。これらが３カ所以上備えられる場合を含めて、支持部と角度調整部とは同数である。
【０００７】
引っ掛け部はアルミサッシ枠の網戸用レールに引っ掛けるための凹部である。この引っ掛け部は本体と引っ掛け金具との間の凹部であってもよいし、又は凹部を有する引っ掛け金具を本体に取り付けてもよい。網戸用レールの寸法は、窓用のもので幅１．４５ｍｍ高さ６．１５ｍｍ、戸用のもので幅１．５ｍｍ高さ７．５ｍｍ程度のものであるから、凹部の寸法は幅１．４５〜３．０ｍｍ深さ４．０〜１２．０ｍｍ程度のものとなる。この場合において、凹部の寸法の内、幅の最小値は網戸用レールの幅によって決まるが、凹部の他の寸法は安全上の見地から決められるものであって、網戸用レールの寸法に近いことが望ましい。
【０００８】
角度調整部は、本体底部と支持部との間の角度を調節する事により本体の家屋壁面に対する取り付け角度を調整する部分であって、（Ａ）角度調整部の一端を本体に連結し他端を支持部に連結して角度調整部の伸縮によって本体と支持部との間の角度を調節する事により、本体の家屋壁面に対する取り付け角度を調整するタイプが好ましいが、（Ｂ）本体底部と支持部の角度を直接調節するタイプでもよい。
【０００９】
上記（Ａ）タイプの角度調整部としては、ターンバックルが最も適したものの一つである。ターンバックルの両端にフックを備えたものを使用する。本体を壁面にセットするときは本体の重みで本体と支持部との間の角度は開こうとするから、ここにターンバックルを用いるとターンバックルの両端のフックには引っ張る力が加わるので外れにくくなる。伸縮の調節もターンバックルの場合、非常に簡単で且つ微調節も可能である。然しながらターンバックル以外の方式例えばスライド式の伸縮調節機構を用いた角度調整部としてもよい。本体及び支持部と角度調整部との結合の方法は、フック式でも止めねじ式でもよい。
【００１０】
【発明の実施の形態】
発明の実施の形態を実施例にもとづき図面を参照して説明する。
図１は、ウィンドウ・デッキの全体を示す。本体１は、窓側以外の三方に囲いがあり、底部を有し上方開放の長方角形である。窓側の囲いはあってもよいが、図１は、これがない場合を示す。引っ掛け部２は、少なくとも本体両端の二個は必要であって、本体が長い場合には三個以上の場合もある。図１は三個の場合である。
【００１１】
支持部３と本体底部１１との間の角度を角度調整部４によって調節することにより、家屋壁面に対する本体１の取り付け角度を調整する。本体１の底部が水平又はそれに近い状態になるように調整するのが普通である。図１は、角度調整部４がターンバックルの場合を示す。支持部３と角度調整部４は同数であり、少なくとも本体両端の二個は必要である。図１は二個の場合である。
【００１２】
図２は、引っ掛け部２が本体１と引っ掛け金具２１との間に形成される凹部である場合を示す。
図３は、引っ掛け部２を備えた引っ掛け金具２２を本体１に取り付けたところを示す。
【００１３】
図４〜図６において、角度調整部４の例を示す。図４は、角度調整部４が両端にフック４４を備えたターンバックル４１の場合を示す。本体１のフック穴４２と支持部３のフック穴４３にフック４４をかけた状態で本体１を家屋壁面にセットすると、本体底部１１と支持部３との間の角度は開こうとするから、フック４４は両方に引っ張られて外れにくくなり、安定する。本体底部１１と支持部３との間の角度は、ターンバックル４１を回す向きにより開いたり閉じたりする。この開閉により、家屋壁面に対する本体１の取り付け角度を調整する。
【００１４】
図５は、スライド式の伸縮調節機構４５を用いた角度調整部４の場合を示す。スライド式の伸縮調節機構４５の両端は、角度調整部用止めねじ４６によって、本体１と支持部３に取り付けられる。本体底部１１と支持部３との間の角度は、伸縮調節溝４８と４９をずらすことにより開閉し、伸縮調節ねじ４７を締めることにより固定される。
【００１５】
図６は、角度調整部４が、本体底部と支持部との間の角度を直接調節するタイプの一例である。図６では角度調節ねじ５０に対し角度調節溝５１をずらすことによって、本体底部１１と支持部３との間の角度を開閉し、角度調節ねじ５０を締めることにより固定される。
【００１６】
このタイプのものでは、細かい突起の噛み合わせをずらすことにより本体底部１１と支持部３との間の角度を開閉し、角度調節ねじ５０を締めることにより固定されるものなどを用いてもよい。
本体底部と支持部との間の角度を直接調節するタイプは、特に木製以外の場合、例えば鉄製の場合などに向いているが、木製の場合でも当て金などをする事により使用可能となる。
【００１７】
図７は、ウィンドウ・デッキを窓の外側下部に取り付けたところを示す側面図である。図の左手が屋内側、図の右手が屋外側である。アルミサッシ枠６の６１はサッシ枠の内側レールで、６２はサッシ枠の外側レールである。引っ掛け部２を形成する引っ掛け金具２１は網戸用レール６３に引っ掛けられるので、本発明に係るウィンドウ・デッキを窓の外側下部に取り付けても、窓の開閉には何ら支障を生じない。
図７においては角度調整部４には、本体底部と支持部との間の角度を直接調節するタイプの内、角度調節溝５１を用いるものを示した。
【００１８】
【発明の効果】
本発明は、以上説明したように構成されているので、以下に記載されるような効果を奏する。
【００１９】
引っ掛け部をアルミサッシ枠の網戸用レールに引っ掛けるだけで、本体を窓の外側下部に取り付けることが出来るので、取り付けが非常に簡単である。
その上、窓の開閉には一切支障を生じない。
【００２０】
角度調整部によって本体底部と支持部との間の角度を調節する事により本体の家屋壁面に対する取り付け角度を簡単に調整することが可能となり、本体を壁面に対して安定した状態で、しかも簡単に取り付けることが出来る。
【００２１】
本体又は本体と支持部の材質を木製とすることにより、全体として木の温もりが感じられると共に、環境問題の面からも、間伐材やこまぎれの材料をも活用できる利点がある。
【図面の簡単な説明】
【図１】ウィンドウ・デッキの全体を示す斜視図である。
【図２】引っ掛け部の実施例の一部断面図である。
【図３】引っ掛け部の実施例の一部断面図である。
【図４】全体の側面から見た角度調整部の実施例を示す図である。
【図５】全体の側面から見た角度調整部の実施例を示す図である。
【図６】全体の側面から見た角度調整部の実施例を示す図である。
【図７】ウィンドウ・デッキを窓の外側下部に取り付けたところを示す側面図である。
【符号の説明】
１　　本体
１１　　本体底部
２　　引っ掛け部
２１　引っ掛け金具
２２　引っ掛け金具
３　　支持部
４　　角度調整部
４１　ターンバックル
４２　フック穴
４３　フック穴
４４　フック
４５　スライド式の伸縮調節機構
４６　角度調整部用止めねじ
４７　伸縮調節ねじ
４８　伸縮調節溝
４９　伸縮調節溝
５０　角度調節ねじ
５１　角度調節溝
６　　アルミサッシ枠
６１　サッシ枠の内側レール
６２　サッシ枠の外側レール
６３　網戸用レール
【図１】
2004073292.tif 000003
【図２】
2004073292.tif 000004
【図３】
2004073292.tif 000005
【図４】
2004073292.tif 000006
【図５】
2004073292.tif 000007
【図６】
2004073292.tif 000008
【図７】
2004073292.tif 000009